(57)【要約】  本発明は、特定の時間点での相対血液体積（ＲＢＶ）を表す値、あるいは患者の血液処理の間または患者の血液処理により、観測または実測され得る患者の再充満体積を表す値を計算または近似するための方法に関し、この方法が、患者の水分過剰レベルを反映する１つ以上の計算もしくは測定された値またはそれらの近似を考慮するステップを含む。本発明は、さらに、本発明を行うための装置およびデバイス、および血液処理装置に関し、さらにデジタル記憶手段、コンピュータプログラム製品、およびコンピュータプログラムに関する。
2014508557.tif 000002
【特許請求の範囲】
【請求項１】
特定の時間点での絶対血液体積（ＢＶ）もしくは相対血液体積（ＲＢＶ）、または規格化されたもしくは正常水分の相対血液体積（ＲＢＶ＿ｎｏｒｍｏｈｙｄ（ｔ））を表す値、あるいは患者の血液処理の間または患者の血液処理により、観測または実測または計算または測定され得る患者の再充満体積（Ｖ＿ｒｅｆｉｌｌ）を表す値を計算または近似または予測するための方法であって、この方法が：
患者の水分過剰（ＯＨ）レベルまたは水分過剰を反映する１つ以上の計算もしくは測定された値またはそれらの近似を考慮するステップ
を含む、方法。
【請求項２】
相対血液体積（ＲＢＶ）を表す値または再充満体積（Ｖ＿ｒｅｆｉｌｌ）を表す値を計算または近似または予測するために、前記血液処理の開始時または開始前の前記絶対開始血液体積（ＢＶ＿ｓｔａｒｔ）が考慮される、請求項１に記載の方法。
【請求項３】
前記絶対開始血液体積（ＢＶ＿ｓｔａｒｔ）を評価するために、患者の体の除脂肪質量（ＬＴＭ）を反映する少なくとも１つの値および患者の体の脂肪質量（ＡＴＭ）を反映する少なくとも１つの値、またはそれらの近似が考慮される、請求項２に記載の方法。
【請求項４】
前記再充満体積（Ｖ＿ｒｅｆｉｌｌ）が、以下の式によって得られる、請求項１から３のいずれか一項に記載の方法
2014508557.tif 000012
式中：
ａ、ｂ、ｃ、ｄはパラメータであり；
ｈｂ＿ｓｔａｒｔは、血液処理セッションの開始時のヘモグロビン濃度を表す；
Ｖ＿ｒｅｆｉｌｌは、再充満体積を表す；
ＵＦＶは、限外ろ過体積を表す；
ＵＦＲは、限外ろ過率を表す；および
ＯＨは、例えば血液処理セッションの開始時の患者の水分過剰を表す。
【請求項５】
血液処理セッションの終了時までに到達される相対血液体積（ＲＢＶ）の終了値を、透析中の罹患事象、例えば低張性症状などを生じることなく、予測するステップ；
を包含する、請求項１から４のいずれか一項に記載の方法。
【請求項６】
血液処理装置が、請求項１から４のいずれか一項に記載の方法から誘導される相対血液体積（ＲＢＶ）に基づいて、または請求項５に記載の方法から誘導される相対血液体積（ＲＢＶ）の終了値に基づいて制御される、請求項１から５のいずれか一項に記載の方法。
【請求項７】
特定の将来の血液処理セッションが継続する時間が、請求項１から４のいずれか一項に記載の方法から誘導される相対血液体積（ＲＢＶ）、または請求項５に記載の方法から誘導される相対血液体積（ＲＢＶ）の終了値を考慮することによって計算または最適化される、請求項１から６のいずれか一項に記載の方法。
【請求項８】
前記相対血液体積（ＲＢＶ）が、規格化されたまたは正常水分の相対血液体積（ＲＢＶ＿ｎｏｒｍｏｈｙｄ、またはＢＶ（ｔ）／ＢＶ＿０）であるように、患者の水分過剰（ＯＨ）レベルに関して補正される、請求項１から７のいずれか一項に記載の方法。
【請求項９】
処理セッションの終了時に血液処理によって達成されるべき前記相対血液体積（ＲＢＶ）、または正常水分の相対血液体積（ＲＢＶ＿ｎｏｒｍｏｈｙｄ）それぞれのターゲット範囲が決定される、請求項１から８のいずれか一項に記載の方法。
【請求項１０】
規格化されたまたは正常水分の相対血液体積（ＲＢＶ＿ｎｏｒｍｏｈｙｄ）が以下の式によって得られる、請求項１から９のいずれか一項に記載の方法
2014508557.tif 000013
式中：
ＢＶ＿ａｂｓｏｌｕｔｅ＿ｓｔａｒｔＤｉａｌｙｓｉｓは、処理セッション開始時の絶対血液体積を表す；
Ｋ＿Ｇｕｙｔｏｎは、水分過剰の一部が血管系内に含まれることを示す；
ＯＨは、例えば血液処理セッションの開始時の患者の水分過剰を表す；
ＲＢＶ＿ｐｒｉｏｒ（ｔ）は、患者の相対血液体積を表す；および
ＢＶ＿０は、例えば血液処理セッションの開始時に患者の正常水分血液体積を表す。
【請求項１１】
請求項１から１０のいずれか一項に記載の方法を行うために構成される装置。
【請求項１２】
それぞれの方法を行うことによって提供される結果をアウトプットするためのアウトプットデバイスをさらに含む、請求項１１に記載の装置。
【請求項１３】
請求項１から１０のいずれか一項に記載の方法によって計算または近似または予測された相対血液体積（ＲＢＶ）または規格化されたもしくは正常水分血液体積（ＲＢＶ＿ｎｏｒｍｏｈｙｄ）を表す値またはターゲット範囲に関して患者の血液を処理するためのデバイスを制御するように構成される、請求項１１または１２に記載の装置。
【請求項１４】
請求項１から１０のいずれか一項に記載の方法によって計算または近似または予測されたターゲット相対血液体積（ＲＢＶ）、または規格化されたもしくは正常水分ターゲット血液体積（ＲＢＶ＿ｎｏｒｍｏｈｙｄ）を表す値またはターゲット範囲に関して、患者の血液を処理するために、デバイスを制御するように構成される、請求項１１から１３のいずれか一項に記載の装置であって、ターゲット範囲はさらに、ターゲット水分過剰ステータスによって定義される、装置。
【請求項１５】
前記処理セッションが、患者が、透析中の罹患事象、例えば低張性症状などを起こすことがない時点で相対血液体積（ＲＢＶ）の終了値またはターゲット範囲として予測されている前記相対血液体積（ＲＢＶ）の終了値が測定または計算されたら、終了または中断されるように、患者の血液を処理するためのデバイスを制御するように構成される、請求項１１から１４のいずれか一項に記載の装置。
【請求項１６】
前記処理セッションが、患者の絶対血液体積の閾値または所定値が検出または計算されたら、停止または中断されるように患者の血液を処理するためのデバイスを制御するように構成される、請求項１１から１５のいずれか一項に記載の装置。
【請求項１７】
患者の絶対血液体積の閾値または所定値が検出または計算されたら、処理セッションが停止または中断されるように、患者の血液を処理するためのデバイスを制御するように構成され、前記患者の絶対血液体積が、血液処理セッション中に決定される相対血液体積を考慮することによって血液処理セッション中に決定される、請求項１１から１６のいずれか一項に記載の装置。
【請求項１８】
請求項１１から１７のいずれか一項に記載の少なくとも１つの装置を含む、血液処理デバイス。
【請求項１９】
透析によって患者を治療するための、請求項１８に記載のデバイス。
【請求項２０】
血液ろ過、限外ろ過、および／または血液透析によって患者を治療するための、請求項１９に記載のデバイス。
【請求項２１】
請求項１から１０のいずれか一項に記載の方法が実行されるように、プログラム可能なコンピュータシステムと相互作用することができる、電気的に読取可能な制御シグナルを有するデジタル記憶手段、特にフラッシュドライブ、ＵＳＢメモリ、ディスク、ＣＤまたはＤＶＤ。
【請求項２２】
コンピュータ上でプラグラム製品を実行する場合に、請求項１から１０のいずれか一項に記載の方法を実行するための機械読取可能なデータ媒体に記憶されるプログラムコードを有するコンピュータプログラム製品。
【請求項２３】
コンピュータ上のプログラムを実行する場合に、請求項１から１０のいずれか一項に記載の方法を実行するためのプログラムコードを有するコンピュータプログラム。
【発明の詳細な説明】
【技術分野】
【０００１】
本発明は、特定の時間点における相対血液体積を表す値、または患者の血液処理中もしくは患者の血液処理により観測または実測され得る患者の再充満体積を表す値を、計算または近似するための方法に関する。本発明はさらに、装置、血液処理デバイスに関し、さらにデジタル記憶手段、コンピュータプログラム製品、およびコンピュータプログラムに関する。
【背景技術】
【０００２】
血液の体外処理中、患者の血液体積（ＢＶ）の減少、従って患者の相対血液体積（ＲＢＶ）の減少が生じる。その減少は、処理の開始時における絶対血液体積（ＢＶ）、適用される場合は適用される限外ろ過率（ＵＦＲ）などのような多数のパラメータに依存する。（非常に）高く設定された限外ろ過率（ＵＦＲ）で治療される患者は、治療によって患者の体から吸引される流体量のために、例えば透析の間に虚脱に陥りやすい。（非常に）低く設定された限外ろ過率（ＵＦＲ）にて治療される患者は、処理サイト（病院、クリニックまたはさらには処理器に繋がれた家庭）において不必要に時間を費やすことになり得る、またはさらに悪いことには適切な程度にまで患者の水分過剰（ＯＨ）レベルを低減させることなく、再び家に戻ることになる。
【発明の概要】
【発明が解決しようとする課題】
【０００３】
本発明によって、特定の時間点における相対血液体積（ＲＢＶ）を表す値、または患者の血液処理中にもしくは患者の血液処理により観測もしくは実測され得る患者の再充満体積（Ｖ＿ｒｅｆｉｌｌ）を表す値を、計算または近似するための方法、および／または将来の時点に関する相対血液体積（ＲＢＶ）または将来的なある時点での絶対血液体積（ＢＶ）を予測するための方法を示唆する。また、本発明に従う方法を行うための装置が提供され、ならびに装置を含むデバイス、デジタル記憶手段、コンピュータプログラム製品、およびコンピュータを提供する。
【課題を解決するための手段】
【０００４】
本発明に従う方法は、請求項１の特徴の組み合わせによって定義される。従って、本発明の１つの態様において、絶対または相対血液体積を表す値または再充満体積を表す値を計算または近似または予測するための方法、あるいは将来の値（ＲＢＶ＿ｅｎｄと同様）を予測するための方法は、患者の水分過剰レベルを反映する１つ以上の計算もしくは測定された値またはそれらの近似を考慮する工程を含む。
【０００５】
患者は、ヒトまたは動物のいずれかであることができる。患者は健常者であってもよく、病気であってもよい。患者は、医療的ケアを必要としていてもよく、またはしていなくてもよい。
【０００６】
本発明に従う装置は、請求項１１の特徴の組み合わせによって定義される。従って、本発明の別の態様において、装置は、本発明に従う方法を行うように構成される。
【０００７】
本発明に従う血液処理デバイスは、請求項１８の特徴の組み合わせによって定義される。従って、本発明の別の態様において、血液処理デバイスは、本発明に従う少なくとも１つの装置を含む。
【０００８】
本発明に従うデジタル記憶手段は、請求項２１の特徴の組み合わせによって定義される。従って、本発明の別の態様において、デジタル記憶手段、特にディスク、ＣＤまたはＤＶＤ、フラッシュメモリ、ＵＳＢメモリなどは、電気的に読取可能な制御シグナルを有し、これらは本発明に従う方法を実行するようにプログラム可能なコンピュータシステムと相互作用できる。
【０００９】
本発明に従うコンピュータプログラム製品は、請求項２２の特徴の組み合わせによって定義される。従って、本発明の別の態様において、コンピュータプログラム製品は、コンピュータ上でプログラム製品を実行する場合に、本発明に従う方法を実行するための機械読取可能なデータ媒体に記憶されるプログラムコードを有する。
【００１０】
本発明に従うコンピュータプログラムは、請求項２３の特徴の組み合わせによって定義される。従って、本発明の別の態様において、コンピュータプログラムは、コンピュータ上でプログラムを実行する場合に、本発明に従う方法の実行のためのプログラムコードを有する。
【００１１】
実施形態は、以下の特徴の１つ以上を含むことができる。
【００１２】
本発明に従う特定実施形態において、時間点は、特定の血液処理セッション内にある。一部の実施形態において、時間点は、血液処理セッションがまさに終了したときである。
【００１３】
本発明に従う一部の実施形態において、値を観測または実測することは、値を測定すること、値を計算すること、または対象となる値に影響する他のパラメータの他の値から誘導もしくは決定することとして理解される。
【００１４】
本発明に従う特定実施形態において、「血液処理により」測定、観測、計算または決定される値は、血液処理により変更されたパラメータの値を意味する。その値自体は、血液処理セッション中、血液処理セッション前または血液処理セッション後に測定、観測、計算または決定されてもよい。
【００１５】
本発明に従う一部の実施形態において、血液処理は、血液ろ過、限外ろ過、および／または血液透析法であってもよい。
【００１６】
本発明の特定実施形態において、値を「考慮すること」は、特に後に述べる数学的コンピュータ計算において値を考慮することを意味する。これは、考慮された値を指すまたはそれを含む数式によって、あるいは「考慮された」値を含む特定パラメータまたは値間の数学的関係を確立することによって行われ得る。本発明に従う一部の実施形態において、値を「考慮すること」は、例えば（数学的）式、コンピュータ、コントロールユニット、プロセッサなどに、インプットする入力値としてその値を用いることとして理解されてもよい。入力値は、例えば測定、ダイアグラム、スプレッドシート、テーブルなどを基点としてもよい。
【００１７】
本発明に従う一部の実施形態において、患者の絶対血液体積または水分過剰レベルのようなパラメータを表すまたは反映する値は、そのパラメータを直接的にまたは間接的に記述するまたは示す値のいずれかを意味する。例えば本発明に従う特定実施形態において、患者の水分過剰を表すまたは反映する値は、ディメンジョン「リットル」が続く「３」であってもよく、一方で間接的に患者の水分過剰を誘導または決定または近似できる値も、ディメンジョン「キログラム」を有する「３」であってもよく、例えば腹囲であってもよい。
【００１８】
本発明に従う一部の実施形態において、患者の絶対血液体積、相対血液体積、再充満体積または水分過剰のようなパラメータを表すまたは反映する値は、例えば「リットル」にて記述される絶対血液体積、相対血液体積、再充満体積もしくは水分過剰またはそれらの値として理解されるべきである。
【００１９】
本発明に従う特定実施形態において、水分過剰「レベル」は、水分過剰の量または程度として理解され得る。用語「水分過剰」および用語「水分過剰レベル」の両方は、絶対値または相対値に関する場合がある。相対値として理解される場合、「水分過剰」は、流体除去を必要としない患者および／または腎臓が健常者のように作用している患者の正常水分状態に関連する場合がある。
【００２０】
本発明に従う一部の実施形態において、水分過剰または水分過剰レベルは、腎臓障害のために過剰の水分除去を必要とする患者の体重と、患者の乾燥体重との差として定義される。乾燥体重は、過剰の流体が存在しないまたは除去されるべき過剰の流体はない条件での患者の体重であってもよい。患者の乾燥体重は、国際公開公報ＷＯ２００６／００２６８５Ａ１におけるように定義され得る。国際公開公報ＷＯ２００６／００２６８５Ａ１のそれぞれの開示は、本明細書に参考として組み込まれる。
【００２１】
本発明に従う特定実施形態において、水分過剰および水分過剰レベル（これらの用語は、本発明に従う一部の実施形態において交換可能に使用されてもよい）は、血液処理セッションの開始直前、血液処理セッションの開始時、または血液処理セッション中の、患者の水分過剰または水分過剰値に関する。
【００２２】
本発明に従う一部の実施形態において、患者の水分過剰または水分過剰レベルは、体内に蓄積された水または過剰の流体を意味し、当業者は、これを、血液処理によって−その一部または全体を−除去されるべき流体として理解する。
【００２３】
本発明に従う特定実施形態において、水分過剰または水分過剰レベルは、腎臓が適切に作用した場合に、腎臓によって体から除去された体内に蓄積された水または過剰の流体に等しい。
【００２４】
本発明に従う一部の実施形態において、一部のまたはすべての方法工程は、例えば１つ以上のプロセッサに対応するデバイスによって行われる。デバイスは、それぞれの方法工程を行うために適合および／または構成される。
【００２５】
本発明に従う特定実施形態において、方法は、コンピュータで実施される方法である。
【００２６】
本発明に従う一部の実施形態において、方法は、自動透析方法である。
【００２７】
本発明に従う一部の実施形態において、方法は、絶対血液体積、相対血液体積または再充満体積を表す値を計算または近似または予測するための、または血液処理デバイスを制御するための操作者から独立した方法である。
【００２８】
特定実施形態において、本発明に従う方法は、相対血液体積を表す値または再充満体積を表す値のいずれかを計算または近似または予測するための、血液処理の開始時または血液処理の開始前に、絶対開始血液体積を考慮することを包含する。
【００２９】
一部の実施形態において、絶対開始血液体積を評価するために、除脂肪質量を反映する少なくとも１つの値および患者の体の脂肪質量を反映する少なくとも１つの値、および／またはそれらの近似が考慮される。
【００３０】
本発明の特定実施形態において、再充満体積（Ｖ＿ｒｅｆｉｌｌ）は、以下の式によって得られる（以下においても式（７）として対処される）：
【数７】
2014508557.tif 000003
【００３１】
この式において、ＵＦＶ、ＵＦＲおよびＯＨは、本明細書に使用される場合に、限外ろ過体積、限外ろ過率および水分過剰レベルを表す。「ｈｂ＿ｓｔａｒｔ」は、処理セッションの開始前または開始時、例えば処理の開始直後の、血液、またはいずれかの他の好適な体液または組織中のヘモグロビン濃度である。
【００３２】
本発明に従う特定実施形態において、パラメータａは０．６０１５に等しく、ｂは０．００９７に等しく、ｃは０．０２２３に等しく、ｄは０．０４４２に等しい。
【００３３】
本発明に従う一部の実施形態において、ａ、ｂ、ｃおよびｄの１つ以上は、負の値であってもよい。本発明に従う特定実施形態において、ａ、ｂ、ｃおよびｄの１つ以上は、０に等しい場合がある。
【００３４】
ａ、ｂ、ｃおよびｄに関する上述された値は、本発明者らにより、本発明にとって有用であることがわかったが、上記式の使用は、もちろんそれらに限定されない。ａ、ｂ、ｃおよび／またはｄについて選択された値の偏差ももちろん可能であり、同様に想定される。
【００３５】
もちろん、上記で与えられた式はまた、異なる方法で記述されてもよい。明らかなように、それは同様に別の構造、例えばＶ＿ｒｅｆｉｌｌ＝ａ＊ＵＦＶ／Ｈｂ＋ｂ＊ＯＨ＋．．．などを有していてもよい。
【００３６】
一部の実施形態において、処理セッション全体にわたって合計されたまたは加えられた再充満体積が、計算または近似されてもよい。特定実施形態において、再充満体積に関する値は、特定の時点について計算または近似されてもよい。後者の場合、対象となる再充満体積値は、例えば指数関数または指数関数様の外挿または内挿から得られてもよい。
【００３７】
本発明に従う一部の実施形態において、透析時の罹患事象、例えば低張性症状、急性発作、虚脱、痙攣、嘔吐、不調、悪心などを生じることなく、血液処理セッションの終了時に到達する相対血液体積の終了値が予測される。
【００３８】
低張性症状、または急性発作は、本発明の特定実施形態において、低血圧または多かれ少なかれ突然生じる血圧降下に関連する、主観的に感じられる不快として定義される。
【００３９】
本発明に従う一部の実施形態において、低張性症状、急性発作、または虚脱は、処理セッションの開始前または開始時において測定された収縮期血圧から、例えば３０ｍｍＨｇの低下を超える血圧の降下（または別に定義されたもしくは予め定義されたｍｍＨｇ単位の低下）として定義される。
【００４０】
本発明に従う特定実施形態において、低張性症状、急性発作、または虚脱は、患者の姿勢を変えること、または限外ろ過を停止すること、または例えばＮａＣｌの浸出液を供給することなどのような医療補助を必要とする患者の症状として定義される。
【００４１】
本発明の特定実施形態において、方法は、本発明に従う方法によって計算または近似された相対血液体積に基づく血液処理装置を制御する工程を包含する。同様に、本発明の一部の実施形態において、方法は、本発明に従う方法によって計算または近似または予測された相対血液体積の終了値に基づいて血液処理装置を制御する工程を包含する。
【００４２】
本発明の特定実施形態において、方法は、特定の将来の血液処理セッションが継続する処理期間または時間を計算または最適化する工程を包含する。計算または最適化は、本発明に従う方法から得られた、相対血液体積または相対血液体積の終了値を考慮することによって行われる。
【００４３】
本発明に従う一部の実施形態において、方法は、患者の水分過剰レベルによって−またはそれらを考慮して−相対血液体積を、規格化されたまたは正常水分の相対血液体積（ＲＢＶ＿ｎｏｒｍｏｈｙｄ）であるように補正する工程を包含する。
【００４４】
本発明の特定実施形態において、方法は、処理セッションの終了時、血液処理によって満たされることが意図される相対血液体積のターゲット範囲を決定する工程を包含する。
【００４５】
本発明の一部の実施形態において、装置は、コントローラまたはいずれか（他の）タイプのコンピュータである。
【００４６】
本発明の多くの実施形態において、装置は、本発明に従う方法を行うための１つ以上のプロセッサのような対応するデバイスを含む。デバイスは、それぞれの方法工程を行うために適合および／または構成される。
【００４７】
本発明の特定実施形態において、装置はモニタであるまたはモニタを含む。
【００４８】
本発明の一部の実施形態において、装置は、本発明のいずれかの実施形態に従う方法を行うように構成される。
【００４９】
本発明の特定実施形態において、装置は、それぞれの方法を行うことによって提供される結果をアウトプットするためのアウトプットデバイスを含む。
【００５０】
本発明の一部の実施形態において、装置は、本発明に従う方法によって計算または近似または予測される相対血液体積を表す値またはターゲット範囲に関連して、患者の血液を処理するためのデバイスを制御するように構成される。
【００５１】
特定実施形態において、制御は、一旦相対血液体積を表す計算もしくは近似された値またはターゲット範囲が処理によって達成または満たされた時点で、処理セッションが終了または中断されるというものである、−または絶対血液体積もしくは相対血液体積（ＲＢＶ）が、特定もしくは所定の値未満に降下しないように限外ろ過率（ＵＦＲ）が調節される。
【００５２】
本発明の一部の実施形態において、装置は、一旦相対血液体積の終了値またはターゲット範囲として予測されている相対血液体積の終了値が測定または計算された時点で、処理セッションが終了または中断されるように、患者の血液を処理するデバイスを制御するように構成される。これは、患者の一部に低張性症状を被ることなく達成または満たされる相対血液体積の終了値またはターゲット範囲であってもよい。
【００５３】
本発明の特定実施形態において、本発明に従うデバイスは、透析によって患者を治療することを対象とする。
【００５４】
本発明に従う一部の実施形態において、患者を治療するためのデバイスは、血液ろ過、限外ろ過、および／または血液透析によって処理するための機器である。
【００５５】
本発明の特定実施形態において、装置は、一旦患者の絶対血液体積の閾値または所定値が検出または計算された時点で、処理セッションが終了または中断されるように、患者の血液を処理するデバイスを制御するように構成される。
【００５６】
本発明に従う一部の実施形態において、患者の絶対血液体積は、血液処理セッション中に決定される相対血液体積を考慮することによって、血液処理セッション中に決定される。
【００５７】
本発明に従う特定実施形態において、水分過剰レベルは、患者の水分過剰または相対水分過剰（ｒｅｌＯＨ：細胞外水分（ＥＣＷ）を超える水分過剰）などを反映する測定された値および／または計算に基づいて近似、計算または定義される。本発明の特定実施形態で使用される場合に水分過剰の定義に関して、国際公開公報ＷＯ２００６／００２６８５Ａ１を指し、ここでＯＨはａ＊ＥＣＷ＋ｂ＊ＩＣＷ＋ｃ＊体重に等しい。国際公開公報ＷＯ２００６／００２６８５Ａ１のそれぞれの開示は、参考として本明細書に組み込まれる。水分過剰が異なる方法で決定され得ることが理解されるべきであり、それらのすべては、当業者に既知である。こうした方法の１つは、希釈を測定することを含み、それらに基づいて水分過剰を計算する。
【００５８】
本発明に従う一部の実施形態において、患者の水分過剰レベルは、年齢補正された水分過剰または相対水分過剰（ｒｅｌＡＥＯＨ）によって表されてもよい。そうする際に、特定の作用、例えば年齢による作用は、より相対的な値を得るために削除され得る。
【００５９】
本発明に従う一部の実施形態において、患者の水分過剰レベルは、ただ１つの値、特にディメンジョン「リットル」を有する値によって表される。
【００６０】
本発明に従う特定実施形態において、水分過剰レベルは、透析前に測定または近似され、あるいは患者の透析前値に基づく。
【００６１】
本発明に従う一部の実施形態において、透析前（ｐｒｅ−Ｄｘ）値または計算は、直ちに、すなわち次の透析処理を開始するときまたは開始する数分前に得られたデータであってもよい。しかし、本発明は、これに限定されない。データはまた、いずれか他の時間点で得られ得る。Ｐｒｅ−Ｄｘデータは、他のデータよりもより安定しているようである。そのため、それらを用いることが有利であり得る。
【００６２】
本発明に従う特定実施形態において、ターゲット範囲は、相対血液体積および時間の両方を表すダイアグラムにて定義される。ターゲット範囲は、代わりにターゲット領域であってもよい。ダイアグラムは、別の方法ではプロットであってもよい。ダイアグラムは、「直交座標系」と呼ばれるデカルト座標系であってもよい。
【００６３】
また、水和または水分過剰レベルを決定するために、いずれかの適切なモニタ、例えば生体インピーダンスまたは希釈技術に基づくモニタが使用され得る。
【００６４】
水和状態または水分過剰レベルに関連するデータを得るためのモニタは、国際公開公報ＷＯ２００６／００２６８５Ａ１に記載されるようなモニタであることができる。国際公開公報ＷＯ２００６／００２６８５Ａ１のそれぞれの開示は、参考として本願に組み込まれる。もちろん、本発明は、ＷＯ２００６／００２６８５Ａ１に記載されるような、生体インピーダンス測定によって患者の水和状態を決定するモニタに限定されないことを理解すべきである。希釈測定のような当該技術分野において既知の他の方法、および同様に当業者に既知のいずれかの他の方法も、同様に本発明によって想定および包含される。
【００６５】
一部の実施形態において、装置はさらに、その装置によって与えられる結果をアウトプットするためのアウトプットデバイスを含む。アウトプットデバイスは、ディスプレイ、プロッタ、プリンタまたはアウトプットを行うためのいずれか他の手段を有するモニタであってもよい。
【００６６】
特定実施形態において、患者のヘモグロビン（Ｈｂ）レベル、質量または濃度は、計算および／または測定される。測定および計算は、当該技術分野において既知のいずれかの方法によって、そのために好適ないずれかのデバイスを用いて、行われてもよい。特に、一部の実施形態において、それぞれのデータは、適切なモニタによって、体外血液ラインに含まれる血液サンプルおよび／または血液から、ヘモグロビン濃度または質量を測定することによって得られてもよい。測定は、光学センサによって血液の光学的特性を測定することによって、ならびに／または超音波センサによる超音波パルスの移行時間および／もしくは伝搬速度のような音響特性を評価することによって、行うことができる。
【００６７】
特定実施形態において、装置は、ヘモグロビン（Ｈｂ）濃度（例えば、［ｇ／ｄｌ］単位）を測定するための、および／またはＤｒｕｋｋｅｒ，ＰａｒｓｏｎおよびＭａｈｅｒによる「Ｒｅｐｌａｃｅｍｅｎｔ  ｏｆ  Ｒｅｎａｌ  Ｆｕｎｃｔｉｏｎ  ｂｙ  Ｄｉａｌｙｓｉｓ」（Ｋｌｕｗｅｒ  Ａｃａｄｅｍｉｃ  Ｐｕｂｌｉｓｈｅｒ，５ｔｈ  ｅｄｉｔｉｏｎ，２００４，Ｄｏｒｄｒｅｃｈｔ，Ｔｈｅ  Ｎｅｔｈｅｒｌａｎｄｓ，ｏｎ  ｐａｇｅｓ  ３９７  ｔｏ  ４０１「Ｈｅｍｏｄｉａｌｙｓｉｓ  ｍａｃｈｉｎｅｓ  ａｎｄ  ｍｏｎｉｔｏｒｓ」）に記載されるようないずれかのモニタによって、血液体積を決定するためのモニタを含み、そのそれぞれの開示は、参考として本明細書に組み込まれる。
【００６８】
一部の実施形態において、モニタは、電気伝導度を測定することによって、血液体積および／またはヘモグロビン濃度を測定するように構成される。
【００６９】
特定実施形態において、モニタは、光学密度を測定することによって、血液体積および／またはヘモグロビン濃度を測定するように構成される。
【００７０】
一部の実施形態において、装置は、粘度を測定することによって、血液体積および／またはヘモグロビン濃度を測定するように構成される。
【００７１】
特定実施形態において、装置は、密度を測定することによって、血液体積および／またはヘモグロビン濃度を測定するように構成される。
【００７２】
一部の実施形態において、装置は、電気伝導度センサ、光学センサ、粘度センサ、密度センサなどのような測定を行うための１つ以上の対応するプローブおよび／または１つ以上のセンサを含む。
【００７３】
特定実施形態において、デバイスは、透析によって患者を治療するために使用されてもよい。
【００７４】
特定実施形態において、デバイスは、血液ろ過、限外ろ過、血液透析などによって患者（または患者の血液）を治療するために使用されてもよい。
【００７５】
実施形態は、以下の利点を１つ以上提供し得る。
【００７６】
本発明によって、重篤な血圧降下、血圧急性発作または虚脱（後者はまた本明細書において罹患事象とも称される）なしに、患者によって高い確率で認容される相対血液体積についての終了値が、処理セッションの処理に先立ってまたは処理中の早期に（例えば、初期または開始Ｈｂ濃度の情報が必要である場合、処理が開始された後に（直後に）のみ、得られ得る値）決定されてもよい。これは、確実に予測される（ＲＢＶ）基準に基づいて透析器を制御する可能性を提供してもよい。故に、前もって計算または予測された（臨界）相対血液体積は、有利なことには、相対血液体積のためのターゲット値として使用される得る。透析器は、これに応じて制御され得る。例えば、機器がプログラムされ、計算または予測された（臨界）相対血液体積が決定または得られたら、限外ろ過を停止する、またはターゲットＲＢＶが下回らないように、ＵＦＲを調節することができる。
【００７７】
さらに、特定実施形態において、透析時間または期間は、有利なことには、本発明の特定実施形態において最適化され得るが、これは、特定の患者に高い確率で許容され得る予測された相対血液体積に前もって気付くことにより、状況が必要とする限り迅速に予測された相対血液体積が得られるように透析器を制御できるからである。
【００７８】
また、前もって一旦予測された相対血液体積が得られた時点、透析手順は、さらなる限外ろ過を必要とせず、推奨もされないことは明らかであるので、停止されてもよい。
【００７９】
さらに、透析時間の最適化のために、本明細書に記載される制御は、特定実施形態において、所定の限外ろ過体積が最小量または最適な時間内で患者から吸引されることを確実にする。
【００８０】
さらに、限外ろ過率は、透析期間が一旦設定された時点で、および相対血液体積または臨界相対血液体積が本発明によって予測もしくは計算された時点で、設定されてもよい。こうして決定された限外ろ過率は、血圧の重篤な低下（急性発作、虚脱など）を生じない。
【００８１】
別の利点は、特定の再充満体積が既知となったら、対象となる患者の個々の再充満状態量が評価できるということであってもよい。再充満体積は、本発明に関して上記で記載されるように計算されてもよい。個々の再充満体積の評価は、毛細血管状態に関する患者の特定疾患または欠陥（例えば毛細血管漏出症候群の存在）を発見することに寄与し得、それは、浸透圧（アルブミン濃度）などを確認するのに役立ち得る。また、個々の再充満体積の評価は、より多くの個々の透析治療を提供できる。例えば、透析期間−これは少なくとも部分的には再充満体積から誘導され得る−は、患者の特定の必要性に適合されてもよい。多少なりとも、患者の再充満体積の特殊性を知ることは、患者の特定の必要性に治療をさらに適合させることに役立ち得る。
【００８２】
さらに、上記で示される式の適切な使用により、次の処理セッションの開始のために予測される水分過剰レベルが見積もられてもよい。
【００８３】
故に、本発明に従う方法、装置およびさらなるデバイスは、有利なことには、患者が不快さに苦しんだり、または不快さを感じ始めたりする前に、自動血液処理を如何にして自動的に停止するかという技術的問題を解決できる。本発明によって有利なことには解決され得る別の技術的問題は、過剰流体（または水分過剰）の意図されるまたは必要な除去を達成しながら、血液処理装置が患者の治療に必要とされる時間を如何にして短縮するかである。
【００８４】
他の態様、特徴、および利点は、明細書、図面および特許請求の範囲から明らかである。
【図面の簡単な説明】
【００８５】
【図１】初期水分過剰（リットル単位）にわたって透析中の限外ろ過体積リットルあたりの相対血液体積降下を示す。
【図２】別の分類表示において、図１のプロットに既に使用されるものを含むデータを示す。
【図３】再充満体積参照に対して予測される場合の再充満体積間の関係を示す。
【図４】予測された相対血液体積と処理の終了時に実際測定される相対血液体積との間の一致を示す。
【図５】１つの単一処理セッション過程において測定される場合の相対血液体積を示す。
【図６】血液処理器が本発明の特定実施形態に従って制御され得る方法の別の方法を示す。
【図７】血液処理器が本発明の特定実施形態に従って制御され得る方法の別の方法を示す。
【図８】血液処理器が本発明の特定実施形態に従って制御され得る方法の別の方法を示す。
【図９】水分過剰に対する正常水分の相対血液体積を示す。
【図１０】本発明に従う方法を行うためのコントローラを備える第１の装置を示す。
【図１１】本発明に従う方法を行うためのコントローラを備える第２の装置を示す。
【発明を実施するための形態】
【００８６】
図１は、透析中の％単位の限外ろ過流体リットルあたりの相対血液体積降下（簡潔に：％ΔＲＢＶ／ＵＦＶ、ＵＦＶはリットル［Ｌ］単位で測定される）と初期水分過剰（リットル単位）との間の相関を示す。図１のデータは、限外ろ過によって治療される多数の患者から集められている。
【００８７】
図１から理解され得るように、限外ろ過流体リットルあたりの相対血液体積降下は、透析前の水分過剰（「ｐｒｅ−Ｄｘ」水分過剰）が高くなるにつれて低くなる。
【００８８】
図２は、図１のプロットに既に使用されたものと、追加の測定のデータとを含むデータを示す。図１と図２との間の別の相違は、利用可能なデータを表す方法が異なることである。図２において、患者は、１リットル未満または１リットルを超えるいずれかの水分過剰ＯＨで透析を開始するよう分類された。
【００８９】
図１および図２の両方から理解され得るように、限外ろ過流体リットルあたりの相対血液体積降下（簡潔に：％ΔＲＢＶ／ＵＦＶ［Ｌ］）は、より高い水分過剰で透析を開始した患者は低くなり（数では２４人の患者）、逆も同様である。さらに、図１と同様に、図２においては、１．３リットルを超える限界ろ過流体が引き抜かれた（ＵＦＶ＞１．３リットル）患者において観測された唯一のデータが示されている。
【００９０】
同様に図１および図２から理解され得るように、処理セッションの終了時に到達されるべきターゲットＲＢＶ値を決定するために、または最適化されたもしくは臨界ＲＢＶ値（ＲＢＶ＿ｃｒｉｔｉｃａｌまたはＲＢＶ＿ｍｉｎ＿ｔｏｌｅｒａｔｅｄ）を決定するために、水分過剰レベルは、明らかに重要な情報であり、故に、個々のおよび最適なＲＢＶ＿ｃｒｉｔｉｃａｌまたはＲＢＶ＿ｍｉｎ＿ｔｏｌｅｒａｔｅｄを設定する際に考慮されるべきである。
【００９１】
図１および図２の表示は、過去に異なる相対血液体積値にて透析中、特定の患者が相対的なまたは重篤な血圧降下（低血圧事象または発作）を起こし、一方でその他の人はそうではなかった理由を理解するのに役立ち得る。その１つの理由は、水分過剰患者において、（間質内に含まれる水の量が多いため）増強された再充満であり得る；別の理由は、増強された絶対血液体積であり得る。
【００９２】
また、図１および２は、特定の相対血液体積レベルまたは値が第１の透析セッション中に到達される場合に特定の患者が虚脱し得る一方で、その患者は、同じ相対血液体積が別の第２の透析セッション中に到達される場合には虚脱しない理由を理解するのに役立つ。
【００９３】
以下には、例として、前記透析前の水分過剰の関連およびその偏差を反映する手法を説明する（ΔＢＶは、一般に透析中の絶対血液体積の降下または変化である）：
【数１】
2014508557.tif 000004
【数２】
2014508557.tif 000005
【数３】
2014508557.tif 000006
ＢＶ＿ｓｔａｒｔは、正常水分ＢＶ＿０に血液区画に存在する過剰流体の一部を加えたものに等しい：
【数４】
2014508557.tif 000007
ＢＶ＿０は、０．１＊ＬＴＭ＋０．０１＊ＡＴＭに等しいと仮定し、ＬＴＭは、筋肉質量であり、ＡＴＭは問題の患者の脂肪質量であり、再充満体積は次のように表現され得る：
【数５】
2014508557.tif 000008
数式５を解いてＲＢＶ＿ｅｎｄを求める：
【数６】
2014508557.tif 000009
【００９４】
本明細書内に示されるいずれかの式において、ＵＦＶは限外ろ過体積を表し、ＯＨは、透析を開始する前の水分過剰を表す。
【００９５】
Ｖ＿ｒｅｆｉｌｌは、例として、次のように見積もられてもよい：
【数７】
2014508557.tif 000010
【００９６】
上述のように、本発明に従う特定実施形態において、パラメータａは０．６０１５に等しく、ｂは０．００９７に等しく、ｃは０．０２２３に等しく、ｄは０．０４４２に等しい。しかし、これは、限定として理解されるべきではない。いずれかの他の見積りも想定される。
【００９７】
パラメータａ、ｂ、ｃおよびｄについての上述の値は、実験的に実測される。それらは、優位性および交差検定のために段階的分析されている。
【００９８】
ＵＦＶ、ＵＦＲおよびＯＨに基づいて再充満体積を見積もる他の手法も、もちろん想定される。代替手法において、ｈｂ＿ｓｔａｒｔが含まれ得る。しかし、これは必須ではない。
【００９９】
また、透析セッションの期間Ｔ＿ｄｉａｌｙｓｉｓは、ＵＦＶをＵＦＲで除することによって計算されてもよい。
【０１００】
さらに、水分過剰ＯＨは、関数ｆ（ＵＦＶ，ＵＦＲ，ＬＴＭ，ＡＴＭ，ｈｂ＿ｓｔａｒｔ，Ｋ＿Ｇｕｙｔｏｎ，ＲＢＶ＿ｅｎｄ）によって表されてもよい。透析セッションの期間Ｔ＿ｄｉａｌｙｓｉｓは、関数ｆ（ＵＦＶ，ＯＨ，ｈｂ＿ｓｔａｒｔ，ＬＴＭ，ＡＴＭ，Ｋ＿Ｇｕｙｔｏｎ，ＲＢＶ＿ｅｎｄ）によって表されてもよい。限外ろ過率ＵＦＲは、関数ｆ（ＵＦＶ，ＯＨ，ｈｂ＿ｓｔａｒｔ，ＬＴＭ，ＡＴＭ，Ｋ＿Ｇｕｙｔｏｎ，ＲＢＶ＿ｅｎｄ，Ｔ＿ｄｉａｌｙｓｉｓ）によって表されてもよい。
【０１０１】
図３は、再充満体積参照（リットル単位のＶｏｌ＿ｒｅｆｉｌｌ＿ｒｅｆ）に対して式（５）で予測されるように、再充満体積（リットル単位のＶｏｌ＿ｒｅｆｉｌｌ＿ｒｅｆ）の関係を例示する。これらの参照値は、式（５）によって例示される処理について計算され、ｘ軸に沿って示されたが、式（７）によって実測される値は、ｙ軸に沿って示された。
【０１０２】
図３に対応する実施形態において、血液体積の拡張は、Ｋ＿Ｇｕｙｔｏｎが一定値であることによって、水分過剰ＯＨに比例すること、およびＬＴＭ、ＡＴＭなどは十分に補正されて決定されると考えられる。
【０１０３】
図３から理解され得るように、予測された再充満体積（リットル単位のＶｏｌ＿ｒｅｆｉｌｌ＿ｒｅｆ）は、実際に観測された再充満体積参照（リットル単位のＶｏｌ＿ｒｅｆｉｌｌ＿ｒｅｆ）に非常に一致している。
【０１０４】
同様に、図３を参照して上記で示されたことはまた図４においても観測され得る。図４にプロットされたデータは、予測された相対血液体積ＲＢＶ＿ｐｒｅｄ［％単位］は、処理を開始する前に医師によって設定された限外ろ過体積が血液から引き抜かれた後に、到達する相対血液体積（ＲＢＶ＿ｅｎｄ＿ｒｅａｃｈｅｄ［％単位］）に非常に一致していることを示す。
【０１０５】
示される値の標準偏差（ＳＤ）は、＋／−２．２％である。図４に示される各ポイントは、１つの完全な処理セッションを表す（合計、１０９回測定）。
【０１０６】
議論される図に示されるデータは、ここで、一定の限外ろ過率が適用されて行われた処理の間または処理によって得られたことに留意する。しかし、本発明の考えはまた、処理中に一定に保たれない限外ろ過率を用いて具現化されてもよいことが想定される。
【０１０７】
図５は、１つの単一処理セッションの過程で、測定される場合の相対血液体積を表す（ＲＢＶ＿ｍｅａｓ［％］単位）。相対血液体積（ＲＢＶ）は、セッションの期間（分単位の時間ｔ）にわたって例示される。
【０１０８】
参照用語ＲＢＶ＿ｍｅａｓは、時間ｔにわたって相対血液体積の実際に測定された過程を示す。参照用語ＲＢＶ＿ｐｒｅｄは、予測された相対血液体積を示す。わかるように、予測された終了相対血液体積と実際の終了相対血液体積との間に偏差はほとんどない（偏差は、図５の矢印で表される）。いかなる場合であっても、前もって計算または予測された相対血液体積ＲＢＶ＿ｐｒｅｄに基づいて透析装置を制御することは、図５に反映される特定の処理セッションにおける低血圧急性発作を引き起こさない。
【０１０９】
図６から図８は、本発明の特定実施形態に従って血液処理器が制御され得る方法をさらに説明することを目的とする。図６から図８において、相対血液体積ＲＢＶの過程は、時間ｔ［分］経過によって例示される。データは、各処理セッションの開始時に４．７リットルの一定の正常水分絶対開始血液体積ＢＶ＿０を有していた患者「４６２４９」の３つの異なる透析処理中に記録された。患者の水分過剰ＯＨは、１．４リットル（図６）と２．３リットル（図７）で異なっていた。これら３つのセッションにおいて、１．５リットル（図６）〜２．３リットル［Ｌ］（図８）の限外ろ過体積がそれぞれ除かれた。
【０１１０】
図６から８のそれぞれにおいて、グラフＲＢＶ＿ｐｒｉｏｒは、処理の開始から、経過した時間の間の相対血液体積の進展を示す。本発明に関して、用語ＲＢＶ＿ｐｒｉｏｒは、先行技術にてこれまで行われているように、血液体積モニタ測定の結果を反映する。ＲＢＶ＿ｐｒｉｏｒ（そのため、ＲＢＶ＿ｃｌａｓｓｉｃａｌまたはＲＢＶ＿ｓｔａｎｄａｒｄなどと呼ばれることもでき、すなわちＢＶ（ｔ）／ＢＶ＿ｓｔａｒｔとして計算される）は、測定される場合に相対血液体積を明らかにする。しかし、ＲＢＶ＿ｐｒｉｏｒは、正常水分血液体積ではない。図６から８から理解され得るように、処理は、相対血液体積ＲＢＶ＿ｐｒｉｏｒが１００％で開始し、８５〜９５％の低下した相対血液体積にて終了する。故に、これらの図から容易に明らかであるように、処理の終了時に測定された相対血液体積は、同量の流体が各処理にて低下したとしても、相対血液体積は、処理の開始時において血液体積に関して異なる絶対値に対して決定されるので、処理によって異なり得る。こうした理由から、前もって設定または決定された相対血液体積の臨界または終了値に基づいて透析器を制御すること（または限外ろ過率もしくは体積を適切に設定すること）は、本発明によって達成され得ることとは対照的に−特定の患者に関しては従来の技術では困難な場合がある。
【０１１１】
本発明の一部の実施形態によれば、透析セッションの前に対象となる患者において実測される水分過剰について「補正された」相対血液体積ＲＢＶ＿ｎｏｒｍｏｈｙｄ（ここで、正常水分相対血液体積と呼ばれる）は、透析器を制御するために使用される。
【０１１２】
正常水分相対血液体積ＲＢＶ＿ｎｏｒｍｏｈｙｄは、例えば次のように計算され得る：
【数８】
2014508557.tif 000011
式中、ＢＶ＿ａｂｓｏｌｕｔｅ＿ｓｔａｒｔＤｉａｌｙｓｉｓは、処理セッションの開始時における絶対血液体積を表し、式中、ＢＶ＿０は、水分過剰により血管系に対して流体の寄与について補正された絶対血液体積を表す。Ｇｕｙｔｏｎ因子Ｋ＿Ｇｕｙｔｏｎは、血管系内に一部の水分過剰が含まれることを示す。
【０１１３】
このように、水分過剰の患者は、図６から８から理解され得るように、正常水分相対血液体積ＲＢＶ＿ｎｏｒｍｏｈｙｄが１００％より高い状態で透析治療を開始される。図６の例において、患者は、１．４リットルの水分過剰で治療を開始した。１．５リットルが除去された。実際の血液体積ＢＶ＿ａｂｓｏｌｕｔｅ＿ｓｔａｒｔ＿Ｄｉａｌｙｓｉｓは、４．７リットルに１．４／３を加えた５．２リットルであった。正常水分絶対開始血液体積ＢＶ＿０は４．７リットルであった。Ｇｕｙｔｏｎ因子Ｋ＿Ｇｙｔｏｎは、水分過剰の一部が血管系内に含まれることを示しており、３であると仮定された。故に、患者は、透析セッションに関して１１０％（５．２リットル／４．７リットル）の仮想相対血液体積または正常水分相対血液体積で開始された。透析が終了した場合、正常水分相対血液体積ＲＢＶ＿ｎｏｒｍｏｈｙｄは１００％である。４．７リットルの絶対血液体積は、それまでに回復される。水分過剰は、それまでに０リットルに低下されている。この処理において限外ろ過体積ＵＦＶが１．５リットルであったことを留め、患者の再充満体積は４．７リットルから、５．２から１．５リットル差し引いたものを差し引いた１リットルであった。
【０１１４】
図６から図８から容易に理解されるように、正常水分相対血液体積ＲＢＶ＿ｎｏｒｍｏｈｙｄに基づく透析を制御することは、１００％の正常水分相対血液体積ＲＢＶ＿ｎｏｒｍｏｈｙｄがそれぞれの処理セッションにおいて到達したら、限外ろ過を停止するために十分事足りるので非常に容易であり、透析後に再充満が生じることはないことを仮定している。これは、処理の終了時に非常に低いＵＦＲにて行われることによって達成でき、結果として血管および間質空間は、多かれ少なかれ（ろ過圧力の点で）平衡に近づく。上記から同様に明らかなように、１００％の停止値は、各単回の処理、および特定の患者が治療されることを問わない、いずれにおいても正常水分の相対血液体積ＲＢＶ＿ｎｏｒｍｏｈｙｄに関して変更されないままであってもよい。ここで提案されるような機械の制御は、プログラム化労力を削減し得る。
【０１１５】
図７は、同じ患者の別の治療を反映する。２．３リットルのより高い水分過剰ＯＨにより（図６の処理と比較した場合に、それは１．４リットルであった）、図７の透析は、１１７％の正常水分相対血液体積ＲＢＶ＿ｎｏｒｍｏｈｙｄで開始する（図６での１１２％に比較して）。
【０１１６】
加えて、図８に示されるように、処理の終了時に満たされるべき正常水分相対血液体積ＲＢＶ＿ｎｏｒｍｏｈｙｄについてのターゲット範囲ＴＲを設定するために想定されてもよい。
【０１１７】
例えば、ターゲット範囲ＴＲは、想定された１００％未満および／または１００％を超える値に対して３％、５％またはそれ以上に設定されてもよい。
【０１１８】
さらに、ターゲット範囲ＴＲは、常に１００％である正常水分相対血液体積ＲＢＶ＿ｎｏｒｍｏｈｙｄの終了値を必ずしもカバーしない。この範囲はまた、対象となる処理のためにいずれかの所望の終了値付近の領域をカバーするために使用されてもよい。故に、特定の状況下、ターゲット範囲は、患者によって、例えばそれぞれ９０％または９５％の終了値に関連付けられてもよい。
【０１１９】
図９は、水分過剰ＯＨに関して示される正常水分相対血液体積ＲＢＶ＿ｎｏｒｍｏｈｙｄを示す。さらに、図９において、対象の透析処理のための開始点Ｄｘ＿ｓｔａｒｔおよび終了点Ｄｘ＿ｅｎｄが例示される。処理の終了時に、正常水分相対血液体積ＲＢＶ＿ｎｏｒｍｏｈｙｄおよび水分過剰ＯＨの両方の値について許容される図９のプロットでの領域を示すターゲット範囲ＴＲが設定される。
【０１２０】
上記で記載されるようにＯＨの代わりに、ＯＨの時間平均値（ＴＡＦＯ、事前および事後の水分過剰値間の平均）が、本発明の考えを具現化するために使用され得ることに留意し、これらに限定されないが、図９に関して記載される意図を含む。
【０１２１】
図９において、処理の２つの可能な方法または透析器を制御する方法をＣ１およびＣ２として示す。
【０１２２】
終了点Ｃ２において、患者は、正常水分の血液体積ＢＶを有する；しかし、患者は、なおも水分過剰である。結果として、終了点Ｃ２が処理後に図９の例示に見られる、さらなる上昇をするような間質から血管への水の再結合が予測されるべきである（ＯＨは、一定レベルに留まるが、血液体積ＢＶが上昇する）。
【０１２３】
他方で、終了点Ｃ１において、患者が水分過剰でなく、また血液体積ＢＶと間質との間の水の分配は平衡であることがわかったので、再結合はない。
【０１２４】
特定実施形態において、本発明に従う制御は、次のように想定される：
【０１２５】
処理の開始から１０〜３０分後、曲線の方向（例えば、図９の場合と同様の表示において）が決定される。曲線がターゲット範囲を満たす可能性が高いかどうかを評価される。この評価は、モニタ（目視）またはアルゴリズムのようなより精錬された手法を介して単に観測することによって行われてもよい。曲線は、ターゲット範囲内にて終了することを仮定する場合、何も行われなくてもよい。しかし、曲線が非常に急傾斜で下降する場合、Ｃ２と同様に、これは、血液体積が非常に迅速にまたは急激に低下することを示す場合があり、その両方が、再充満が制限または限定されることを示し得る。故に、それは、限外ろ過率ＵＦＲを制限すること、および透析処理の期間を延長することが賢明な場合がある。そのためには、曲線は、「平坦な状態」でターゲット範囲を最終的に満たし得る。
【０１２６】
対照的に、図９の曲線がターゲット範囲を超えて続く場合に、処理の制御は、曲線が再びターゲット範囲に向かうまで、および／またはターゲット範囲を満たすまたはそこで終了すると考えられるまで、限外ろ過率ＵＦＲを増大させ得る。
【０１２７】
制御方法または本方法を行うためのデバイスの特定実施形態において、操作される変数は、まず、限外ろ過率および／または透析処理の期間を含む。他には、追加の手段、例えば再充満を増強するための塩投与（ｓａｌｔ  ｂｏｌｉ  ａｎｄ  ｔｈｅｉｒ  ａｄｍｉｎｉｓｔｒａｔｉｏｎ）が想定される。
【０１２８】
図１０は、本発明の第１の実施形態に従って方法を行うように構成されるコントローラ６３を含む装置６１を示す。装置６１は、本発明に従う方法に必要とされる測定結果およびデータを含む外部データベース６５に場合により接続される。データベース６５はまた、装置６１の内部手段であることができる。装置６１は、コントローラ６３または装置６１自体にデータを入力するための手段６７を場合により有していてもよい。こうしたデータは、設定された限外ろ過率、体から除去されるように計画されている限外ろ過率などまたはそれらの近似についての情報であってもよい。コントローラ６３および／または装置６１によって提供される結果は、モニタ６０上に表示される得る、または−図１０においては表示されないが、場合により含まれる−プロッタによってプロットされる得る、またはデータベース６５もしくはいずれかの他の記憶手段によって記憶される得る。データベース６５はまた、実行する場合に本発明に従う方法を開始するコンピュータプログラムを含むことができる。
【０１２９】
対応する測定に関して図１１から理解され得るように、第２の実施形態に従う装置６１は、水分過剰、除脂肪質量、脂肪質量または体の他のパラメータまたはそれらの近似を測定または計算するための手段の１つの例として生体インピーダンス測定手段６９と（有線または無線によって）接続される得る。一般に、測定または計算手段は、本発明に従う方法に必要とされる測定結果およびデータを含む外部データベース６５に加えて、または外部データベース６５の代わりに（すなわち代入として）提供され得る。
【０１３０】
生体インピーダンス測定手段６９は、接触抵抗のようなインピーダンスデータに対する影響に関して自動的に補足でき得る。
【０１３１】
こうした生体インピーダンス測定手段６９の例は、Ｘｉｔｒｏｎ  Ｔｅｃｈｎｏｌｏｇｉｅｓ社から、商標名「Ｈｙｄｒａ」として販売されるデバイスであり、これはさらに国際公開公報ＷＯ９２／１９１５３に記載されており、その開示は、参考として本願に明確に組み込まれる。
【０１３２】
生体インピーダンス測定手段６９は、種々の電極を含んでいてもよい。図７において、単に２つの電極６９ａおよび６９ｂが、生体インピーダンス測定手段６９に取り付けられて示されている。追加の電極ももちろん想定される。
【０１３３】
暗示される各電極は、２つ以上の（「サブ」）電極を順に含むことができる。電極は、電流注入（「サブ」）電極および電圧測定（「サブ」）電極を含むことができる。すなわち、図１１に示される電極６９ａおよび６９ｂは、２つの注入電極および２つの電圧測定電極（すなわち合計４つの電極）を含むことができる。
【０１３４】
概して、本発明に従う装置は、計量手段、必要とされるデータをインプットするためのキーボード、タッチスクリーンなど、センサ、実験室との配線または通信リンク、いずれかの他のインプット手段などのような手段を提供され得る。
【０１３５】
同様に、装置６１はさらに、水分過剰を反映させる値を得るための、および／または外部データベース６５に加えて提供され得るもしくは外部データベース６５の代わりに（すなわち代入として）提供され得る質量、体積もしくはＨｂ濃度を反映させる値を得るための測定または計算手段のためにさらなる手段７１を有していてもよい。
【０１３６】
手段７１は、計量手段、必要とされるデータをインプットするためのキーボード、タッチスクリーンなど、センサ、実験室との配線または通信リンク、Ｈｂ濃度プローブ、いずれかの他のインプット手段として提供され得る。
【０１３７】
以下には、例示方法として、患者の絶対血液体積の閾値または所定値が検出または計算されたら、処理セッションが、停止または中断されるように、患者の血液を処理するためのデバイスを制御するように構成される本発明に従う装置を作用させる方法が記載される：
【０１３８】
処理セッションの開始時の患者の絶対血液体積は、ＢＶ＿ｓｔａｒｔ＝ＢＶ＿０＋ＯＨ／Ｋ＿Ｇｕｙｔｏｎとして既知である。以下の例において、ＢＶ＿ｓｔａｒｔは５．０Ｌである。ここで、処理中に数回、例えば血液体積モニタによって決定される相対血液体積は、ＢＶ＿ｓｔａｒｔが乗じられる。相対血液体積（％単位）が９５％に降下したら、絶対血液体積は、５．０Ｌ＊０．９５＝４．７５Ｌとして計算されてもよい。
【０１３９】
絶対血液体積が、例えば４．０Ｌの閾値未満に降下したら、血液処理を停止させなければならないことが所望され得る。このために、相対血液体積は、血液処理セッション中に考慮される。もちろん、閾値は、各患者および／または処理セッションについて個々に設定されてもよい。
【０１４０】
もちろん、血液処理中に認容相対血液体積の近似または予測に関して上記で説明されたことは（また、請求項１の方法にて記載されること）は、特定実施形態において、絶対血液体積に関してもあてはまる場合がある。換言すれば、本発明によって、なおも認容される絶対血液体積を近似または予測することを可能にしてもよい。こうした認容絶対終了血液体積ＢＶ＿ｅｎｄは、ＢＶ＿ｓｔａｒｔとＲＢＶ＿ｐｒｅｄｉｃｔｅｄを乗じることによって得られてもよい。
【０１４１】
故に、相対血液体積に照らして、本発明に関して上記で記載されることはまた、多くの実施形態において、絶対血液体積についてもあてはまる。
【図１】
2014508557.tif 000014
【図２】
2014508557.tif 000015
【図３】
2014508557.tif 000016
【図４】
2014508557.tif 000017
【図５】
2014508557.tif 000018
【図６】
2014508557.tif 000019
【図７】
2014508557.tif 000020
【図８】
2014508557.tif 000021
【図９】
2014508557.tif 000022
【図１０】
2014508557.tif 000023
【図１１】
2014508557.tif 000024
【国際調査報告】
2014508557.tif 000025
2014508557.tif 000026
2014508557.tif 000027